(57)【要約】【課題】過去に指定された糸の中ら所望の糸を指定可能な刺繍用情報処理装置及び糸指定制御プログラムを提供する。【解決手段】多針刺繍ミシンＭの刺繍用情報処理装置４０は、過去に指定された１又は複数種の糸の指定関する糸指定情報をＥＥＰＲＯＭに糸指定情報テーブルとして記憶し、その糸指定情報テーブル及びＲＯＭに記憶された全糸の糸情報の全糸情報テーブルに基づいて糸指定情報リスト６４をディスプレイに表示することができる。ユーザーは、針棒に所望の糸情報を指定する際に、この糸指定情報リスト６４から過去に指定したことのある糸の糸情報を、マウス３２を操作して指定することができる。また、指定ボタン７１若しくは全糸ボタン７２をクリックすることで、糸情報指定リスト６４若しくは全糸情報リストを択一的に表示させることができる。【選択図】  図６
2004283272.tif 000002
【特許請求の範囲】
【請求項１】
刺繍に用いる複数種の糸に関する糸情報を予め格納した糸情報記憶手段と、糸情報をディスプレイに表示可能な表示手段と、前記糸情報記憶手段や表示手段を制御可能な制御手段とを備えた刺繍用情報処理装置であって、
前記糸情報記憶手段から読み出してディスプレイに表示させた複数種類の糸の中から刺繍に供する糸を指定可能な糸指定手段と、
前記糸指定手段により過去に指定された１又は複数種の糸の指定に関する糸指定情報を記憶する糸指定情報記憶手段と、
を備えたことを特徴とする刺繍用情報処理装置。
【請求項２】
前記糸情報記憶手段は、複数種の糸の各々について、糸色の他に、太さと素材とメーカー名のうちの少なくとも１つを記憶していることを特徴とする請求項１に記載の刺繍用情報処理装置。
【請求項３】
前記糸指定手段により糸を指定する際に、前記糸情報記憶手段に記憶した糸から指定するか、前記糸指定情報記憶手段に記憶した糸から指定するかを択一的に選択可能にする指定選択手段を設けたことを特徴とする請求項１又は２に記載の刺繍用情報処理装置。
【請求項４】
前記糸情報記憶手段から読み出した糸をディスプレイに表示させる際に、前記糸指定情報記憶手段に記憶されている糸を、記憶されていない糸から識別可能に表示させる識別表示制御手段を設けたことを特徴とする請求項１〜３の何れかに記載の刺繍用情報処理装置。
【請求項５】
前記糸指定情報記憶手段に記憶した糸に関するデータリストであって前記ディスプレイに表示可能なデータリストを作成するリスト作成制御手段を設けたことを特徴とする請求項１〜４の何れかに記載の刺繍用情報処理装置。
【請求項６】
多針刺繍ミシンにおける複数の縫針に夫々通す複数種類の糸を設定する為に、複数の針棒に対応する複数の糸の糸情報を記憶する為の針棒糸対応テーブルを有することを特徴とする請求項１〜５の何れかに記載の刺繍用情報処理装置。
【請求項７】
前記針棒糸対応テーブルに設定され過去に刺繍に供された複数種の糸に関する使用済み糸情報を記憶する使用済み糸情報記憶手段を設けたことを特徴とする請求項６に記載の刺繍用情報処理装置。
【請求項８】
種々の指令を入力可能な入力手段と、刺繍に用いる複数種の糸に関する糸情報を予め格納した糸情報記憶手段と、糸情報をディスプレイに表示可能な表示手段と、前記糸情報記憶手段や表示手段を制御可能な制御手段とを備えた刺繍用情報処理装置における前記制御手段のコンピュータに実行させるための糸指定制御プログラムにおいて、
前記入力手段からの指令に応じて前記糸情報記憶手段から複数種の糸に関する糸情報を読み出してディスプレイに表示させ、入力手段を介して指定された糸を刺繍に供する糸として指定する糸指定ルーチンと、
前記糸指定ルーチンにより指定された１又は複数種の糸の指定に関する糸指定情報を糸指定情報記憶手段に記憶させる糸指定情報記憶ルーチンと、
前記入力手段からの指令に応じて、糸指定情報記憶手段に記憶された１又は複数の糸指定情報を、表示手段を介してディスプレイに表示させる糸指定情報表示ルーチンと、
を備えたことを特徴とする糸指定制御プログラム。
【発明の詳細な説明】
【発明の属する技術分野】
本発明は刺繍用情報処理装置に関し、特に、複数種の糸情報から糸を指定する刺繍用情報処理装置及び糸指定制御プログラムに関するものである。
【０００１】
【従来の技術】従来、多針刺繍ミシンは、縫針が装着された複数の針棒と、その複数の針棒が設けられた針棒ケースなどを有し、各縫針に上糸を供給可能な糸駒を、縫針の本数と同数若しくは縫針の本数以上装着可能に構成されている。多針刺繍ミシンで刺繍縫製する際には、所望の針棒に駆動力を伝達可能な位置になるように、針棒ケースを左右方向に移動させ、所望の針棒がその下端部に装着された縫針と共にミシンモータの駆動力により上下駆動されて、刺繍模様が縫製される。
【０００２】
このような多針刺繍ミシンにおいては、各針棒とそれらの各針棒に装着された縫針に供給される上糸との関係はユーザーが設定しなければならず、種々の設定方法が提案されている。例えば、特許文献１には、９本の針棒を備えた多針刺繍ミシンが開示されている。この多針刺繍ミシンのディスプレイには、各針棒に対応する糸色表示と、複数の基本色が表示されたパレット画面が表示される。針棒の糸色を変更したい場合には、糸色を変更したい針棒の糸色表示をクリックし、その針棒に設定したい所望の色をパレット画面からクリックして選択することで、クリックされた針棒の糸色表示がパレット画面から選択された色に設定される。
【０００３】
【特許文献１】特開平１０−１４０４６０号公報（３〜５頁、図３〜５）
【０００４】
【発明が解決しようとする課題】しかし、特許文献１に記載の多針刺繍ミシンでは、全ての基本色がパレット画面に表示されるため、ユーザーは針棒の糸色を変更する度に、全ての基本色の中から所望の糸色を選択しなくてはならず、所望の糸を捜すのに非常に無駄な時間と労力を必要とする。特に、最近の刺繍ミシンにおいては、糸色のみならず、糸の太さ、各メーカーにおける色名や糸番号などを含む糸情報が数千種表示されたリストから選択することもあり、それらの全糸情報をディスプレイに表示すると、画面上には一部の糸の糸情報しか表示されず、画面をスクロールするなどして所望の糸を捜すため、針棒に装着された糸駒に対応した糸を選択するのに非常に無駄な時間と労力が必要となる。
【０００５】
本発明の目的は、過去に指定された糸の中から所望の糸を指定可能な刺繍用情報処理装置及び糸指定制御プログラムを提供することにある。
【０００６】
【課題を解決するための手段】請求項１に記載の刺繍用情報処理装置は、刺繍に用いる複数種の糸に関する糸情報を予め格納した糸情報記憶手段と、糸情報をディスプレイに表示可能な表示手段と、前記糸情報記憶手段や表示手段を制御可能な制御手段とを備えた刺繍用情報処理装置であって、前記糸情報記憶手段から読み出してディスプレイに表示させた複数種類の糸の中から刺繍に供する糸を指定する糸指定手段と、前記糸指定手段により過去に指定された１又は複数種の糸の指定に関する糸指定情報を記憶する糸指定情報記憶手段とを備えたものである。
【０００７】
この刺繍用情報処理装置によれば、糸情報記憶手段に格納された複数種の糸に関する糸情報が表示手段によりディスプレイに表示され、これらの表示された複数種の糸情報から、刺繍に供する糸がユーザーにより糸指定手段を介して指定され、過去に指定された１又は複数種の糸の指定に関する糸指定情報が糸指定情報記憶手段に記憶される。
【０００８】
請求項２に記載の刺繍用情報処理装置は、請求項１に記載の刺繍用情報処理装置において、前記糸情報記憶手段は、複数種の糸の各々について、糸色の他に、太さと素材とメーカー名のうちの少なくとも１つを記憶しているものである。この刺繍用情報処理装置によれば、糸情報記憶手段には、複数種の糸の各々について、糸色の他に、太さと素材とメーカー名のうちの少なくとも１つが記憶されている。
【０００９】
請求項３に記載の刺繍用情報処理装置は、請求項１又は２に記載の刺繍用情報処理装置において、前記糸指定手段により糸を指定する際に、前記糸情報記憶手段に記憶した糸から指定するか、前記糸指定情報記憶手段に記憶した糸から指定するかを択一的に選択可能にする指定選択手段を設けたものである。この刺繍用情報処理装置においては、糸指定手段により糸が指定される際、ユーザーにより指定選択手段を介して、糸情報記憶手段に記憶した糸から指定するか、糸指定情報記憶手段にした糸から指定するかが択一的に選択される。
【００１０】
請求項４に記載の刺繍用情報処理装置は、請求項１〜３の何れかに記載の刺繍用情報処理装置において、前記糸情報記憶手段から読み出した糸をディスプレイに表示させる際に、前記糸指定情報記憶手段に記憶されている糸を、記憶されていない糸から識別可能に表示させる識別表示制御手段を設けたものである。この刺繍用情報処理装置においては、識別表示制御手段により、糸指定情報記憶手段に記憶されている糸が、記憶されていない糸から識別可能に、ディスプレイに表示される。
【００１１】
請求項５に記載の刺繍用情報処理装置は、請求項１〜４の何れかに記載の刺繍用情報処理装置において、前記糸指定情報記憶手段に記憶した糸に関するデータリストであって前記ディスプレイに表示可能なデータリストを作成するリスト作成制御手段を設けたものである。この刺繍用情報処理装置によれば、リスト作成手段により作成されて糸指定情報記憶手段に記憶された糸に関するデータリストが、ディスプレイに表示される。
【００１２】
請求項６に記載の刺繍用情報処理装置は、請求項１〜５の何れかに記載の刺繍用情報処理装置において、多針刺繍ミシンにおける複数の縫針に夫々通す複数種類の糸を設定する為に、複数の針棒に対応する複数の糸の糸情報を記憶する為の針棒糸対応テーブルを有するものである。この刺繍用情報処理装置によれば、多針刺繍ミシンにおける複数の縫針に夫々通す複数種類の糸を設定するために、ユーザーが糸指定手段により指定した複数の針棒に対応する複数の糸の糸情報が、針棒糸対応テーブルに記憶される。
【００１３】
請求項７に記載の刺繍用情報処理装置は、請求項６に記載の刺繍用情報処理装置において、前記針棒糸対応テーブルに設定され過去に刺繍に供された複数種の糸に関する使用済み糸情報を記憶する使用済み糸情報記憶手段を設けたものである。この刺繍用情報処理装置によれば、針棒糸対応テーブルに設定され、過去に刺繍に供された複数種の糸に関する使用済み糸情報が使用済み糸情報記憶手段に記憶される。
【００１４】
請求項８に記載の糸指定制御プログラムは、種々の指令を入力可能な入力手段と、刺繍に用いる複数種の糸に関する糸情報を予め格納した糸情報記憶手段と、糸情報をディスプレイに表示可能な表示手段と、前記糸情報記憶手段や表示手段を制御可能な制御手段とを備えた刺繍用情報処理装置における前記制御手段のコンピュータに実行させるための糸指定制御プログラムにおいて、前記入力手段からの指令に応じて前記糸情報記憶手段から複数種の糸に関する糸情報を読み出してディスプレイに表示させ、入力手段を介して指定された糸を刺繍に供する糸として指定する糸指定ルーチンと、前記糸指定ルーチンにより指定された１又は複数種の糸の指定に関する糸指定情報を糸指定情報記憶手段に記憶させる糸指定情報記憶ルーチンと、前記入力手段からの指令に応じて、糸指定情報記憶手段に記憶された１又は複数の糸指定情報を、表示手段を介してディスプレイに表示させる糸指定情報表示ルーチンとを備えたものである。
【００１５】
この糸指定制御プログラムによれば、糸指定ルーチンにおいて、ユーザーによる入力手段からの指令に応じて糸記憶手段から複数種の糸に関する糸情報が読み出されてディスプレイに表示され、ユーザーにより入力手段を介して指定された糸が刺繍に供する糸として指定され、糸指定情報記憶ルーチンにおいて、糸指定ルーチンにより指定された１又は複数種の糸の指定に関する糸指定情報が糸指定情報記憶手段に記憶され、糸指定情報表示ルーチンにおいて、ユーザーによる入力手段からの指令に応じて、糸指定情報記憶手段に記憶された１又は複数の糸指定情報が、表示手段を介してディスプレイに表示される。
【００１６】
【発明の実施の形態】以下、本発明の実施の形態について図面を参照して説明する。本実施形態は、６本の縫針を備え、夫々の縫針に６個の糸駒から供給される６種類の刺繍糸で刺繍縫製が可能な多針刺繍ミシンに本発明を適用した場合の一例である。尚、以下の説明で図１に矢印で示す方向をユーザーが位置する前方（  Ｙ方向）  とし、ユーザーから見て左右方向を左右方向（  Ｘ方向）  とする。
【００１７】
図１に示すように、多針刺繍ミシンＭには、多針刺繍ミシンＭを支持する左右１対の支持脚１と、支持脚１の後端部から立設する脚柱部２と、脚柱部２の上端部から前方に延びるアーム部３と、アーム部３の先端に左右方向に移動可能に配設された針棒ケース４と、脚柱部２の下端部から前方に延びるシリンダベッド部５と、ユーザーが多針刺繍ミシンＭに関する種々の操作をするための操作部７と、多針刺繍ミシンＭの制御全般を司る刺繍用情報処理装置４０などが設けられている。
【００１８】
脚柱部２には、加工布を保持する刺繍枠（  図示略）  が装着される枠ホルダー１０が設けられている。この枠ホルダー１０は、刺繍枠と共にＸ方向駆動モータ５４及びＹ方向駆動モータ５６（  図３参照）  の駆動力によりＸ方向及びＹ方向に駆動される。
【００１９】
図２に示すように針棒ケース４には、縫針１５が装着された６本の針棒１６（  一部のみ図示）  と、夫々の縫針１５に対応する位置に設けられた６本の天秤１７と、針棒ケース４の上端部から後方へ延びる糸調子台１８に載置された６個の糸調子器１９等を有する。
【００２０】
アーム部３には、針棒ケース駆動モータ５８（  図３参照）  により針棒ケース４を水平方向に移動させて駆動力が伝達される縫針１５及び天秤１７を択一的に選択する縫針天秤切換え機構（  図示略）  と、縫針天秤切換え機構により選択された縫針１５にミシンモータ５２（  図３参照）  の駆動力を伝達する縫針駆動力伝達機構（  図示略）  と、縫針天秤切換え機構により選択された天秤１７にミシンモータ５２の駆動力を伝達する天秤駆動力伝達機構（  図示略）  などが設けられているが、夫々一般的な機構を適用しているため、説明を省略する。
【００２１】
アーム部３の後半部には、左右１対の糸駒台２０が設けられている。夫々の糸駒台２０には、３個の糸駒２１が載置可能であり、左右１対の糸駒台２０で縫針１５の数と同じ合計６個の糸駒２１を載置することができる。アーム部３の中央部には、糸駒２１から延びる上糸Ｔの糸絡みを防ぐための糸案内機構２２が糸駒台２０と対応するように設けられている。尚、糸駒台２０及び糸案内機構２２は、アーム部３の上面からはみ出さないように収納することができる。各糸駒２１から延びる上糸Ｔは、糸案内機構２２、糸調子器１９、天秤１７などを経由して、各縫針１５に供給される。
【００２２】
この多針刺繍ミシンＭで刺繍縫製を行う場合には、縫針天秤切換え機構により選択された縫針１５が、縫針駆動力伝達機構を介して伝達されたミシンモータ５２の駆動力により上下駆動され、その縫針１５に対応する天秤１７も天秤駆動機構を介して伝達されたミシンモータ５２の駆動力により上下に揺動駆動され、駆動される縫針１５と、シリンダベッド部５に設けられた糸輪捕捉器（  図示略）  との協動により選択された上糸Ｔにより縫目が形成される。
【００２３】
操作部７には、糸情報や刺繍模様などを表示するディスプレイ３０と、フレキシブルディスク３３が挿入されるフレキシブルディスクドライブ３１（  以下、ＦＤＤ）  と、種々の指令を入力するためのマウス３２等が設けられている。
【００２４】
次に、多針刺繍ミシンＭの制御全般を司る刺繍用情報処理装置４０について図３を参照して説明する。刺繍用情報処理装置４０は、制御ユニット４１と、ディスプレイ３０に糸情報や刺繍模様等を表示するための駆動回路４２と、ＦＤＤ３１と、種々の指令を入力可能なマウス３２などを有する。
【００２５】
制御ユニット４１には、ＣＰＵ４５とＲＯＭ４６とＲＡＭ４７とＥＥＰＲＯＭ４８とこれらを接続するバス４９とを含むコンピュータ５０と、このコンピュータ５０に入出力するための入出力インターフェース５１等を有する。入出力インターフェース５１には、上述した駆動回路４２やマウス３２の入力信号を送信する為の駆動回路４３などが制御可能に接続され、更に、ミシンモータ５２を駆動するための駆動回路５３や、Ｘ方向駆動モータ５４を駆動するための駆動回路５５や、Ｙ方向駆動モータ５６を駆動するための駆動回路５７や、針棒ケース駆動モータ５８を駆動するための駆動回路５９なども接続されている。
【００２６】
ＲＯＭ４６（  糸情報記憶手段に相当）  には、刺繍に用いる複数種の糸に関する全ての糸情報のリストである全糸情報テーブル（  図示略）  と、糸駒２１から供給される上糸Ｔの糸情報と針棒１６とをユーザーが関連付けるための糸指定制御プログラムなどが読出し可能に格納されている。
【００２７】
ＲＯＭ４６に記憶されている全糸情報テーブルは、数千種以上の糸に関する糸情報で構成されている。各糸の糸情報は、図６，  図７に示す糸指定情報リスト６４及び全糸情報リスト６５を表示するために必要な、糸情報Ｎｏ、メーカー名、色名、ＲＧＢ、太さ、素材で構成されている。尚、糸情報Ｎｏは各糸情報に夫々設定された固有の番号であり、この糸情報Ｎｏによりどの糸情報かを一義的に特定することができる。
【００２８】
ＥＥＰＲＯＭ４８（  糸指定情報記憶手段に相当）  には、図４に示すように、マウス３２により過去に指定された１又は複数種の糸の指定に関する糸指定情報のテーブルである糸指定情報テーブルや、図５に示すように、６本の縫針１５に夫々通される６種類の上糸Ｔを設定するために、６本の針棒１６に対応する６本の上糸Ｔの糸情報をテーブルにした針棒糸対応テーブルなどが記憶されている。
【００２９】
図４に示すように、各糸指定情報は、糸情報Ｎｏと、その糸情報が指定された回数により構成されている。糸指定情報テーブルは、糸情報Ｎｏとその指定回数が、指定回数の多い順に配列されて記憶されている。図６に示すように、ディスプレイ３０に糸指定情報リスト６４が表示される場合には、各糸情報Ｎｏに対応する糸情報が全糸情報データリストから読み込まれる。尚、この糸指定情報テーブルは、多針刺繍ミシンＭの電源がＯＦＦにされても記憶された状態が保持され、累積されていく。
【００３０】
図５に示すように、針棒糸対応テーブルは針棒番号とその針棒に対応する糸情報Ｎｏが記憶される。各糸情報Ｎｏに対応する糸情報のＲＧＢ  データが読み出され、そのＲＧＢ  データに基づいた糸色が、図６，  図７に示すように、ディスプレイ３０の針棒番号ボタン６６に針棒番号と共に表示される。
【００３１】
次に、糸指定制御プログラムが実行中のディスプレイ３０の表示画面について図６，  図７を参照して説明する。図６，  図７に示すように、糸指定制御プログラムが実行されている状態では、全枠６０の左上部のプログラム欄６１に「糸指定制御」が表示される。そのプログラム欄６１の右方のリスト種類欄６２には、図６に示すように、リスト欄６３に糸指定情報リスト６４が表示されている場合には、「指定」が表示され、一方、図７に示すように、リスト欄６３に全糸情報リスト６５が表示されている場合には、リスト種類欄６２には、「全糸」と表示される。
【００３２】
リスト欄６３には、図６に示すように、糸指定情報テーブルに基づいて過去に指定された糸情報のみが表示される糸指定情報リスト６４と、図７に示すように、全糸情報テーブルに基づいて全ての糸情報が表示される全糸情報リスト６５とを表示することができる。これらのリスト６４，  ６５は、全枠６０の右上端部に表示されている指定ボタン７１若しくは全糸ボタン７２をクリックすることで択一的に選択することができ、ユーザーはその選択したリストから針棒１６に対応する糸を指定することができる。即ち、ユーザーが指定ボタン７１をクリックすれば糸指定情報リスト６４が表示され、全糸ボタン７２をクリックすると全糸情報リスト６５が表示される。尚、各リストは、ユーザーがマウス３２を操作することでスクロールさせることができ、多数の糸情報を表示させることが可能である。
【００３３】
全枠６０の左端部の縦方向に沿って表示される各針棒番号ボタン６６には、夫々の縫針１５に対応する針棒１６の針棒番号と、各針棒１６に設定されている糸情報ＮｏのＲＧＢ  データに基づいた糸色とが表示される。針棒番号「１」〜「６」は、夫々左端の針棒１６から右端の針棒１６に対応している。例えば、針棒番号「１」の針棒番号ボタン６６に表示される糸色は、左端の針棒１６に設定されている糸色を示し、針棒番号「６」の針棒番号ボタン６６に表示される糸色は、右端の針棒１６に設定されている糸色を示している。所望の針棒１６の糸情報を変更する場合に、その針棒１６に対応する針棒番号ボタン６６、例えば、針棒番号「５」の針棒番号ボタン６６をクリックすると、針棒番号ボタン６６の上方に表示される針棒選択番号欄６９に「５」が表示され、その選択された針棒番号「５」に対応する糸情報が、針棒糸対応テーブルの糸情報Ｎｏに基づいて全糸情報テーブルから読み出されて、右方の選択糸情報欄７０に表示される。
【００３４】
全枠の左下に表示される変更ボタン７４は、糸指定情報リスト６４の中の所望の糸情報の表示順序を変更したい場合に、ユーザーが操作するためのボタンである。削除ボタン７５は、糸指定情報リスト６４から所望の糸情報を削除したい場合に、ユーザーが操作するためのボタンである。終了ボタン７６は、糸指定制御処理を終了させる際に、ユーザーが操作するためのボタンである。
【００３５】
次に、糸指定制御プログラムにより実行される処理について図８〜図１１のフローチャートを参照し説明する。尚、以下の説明において、Ｓｉ（  ｉ＝１０，  １１，  ・・・）  はステップ番号を示す。
【００３６】
図８に示すように、ユーザーの指令により糸指定制御がスタートすると、ディスプレイ３０に糸指定制御初期画面が表示される（  Ｓ１０）  。この糸指定制御初期画面においては、針棒番号ボタン６６には前回設定されＥＥＰＲＯＭ４８に記憶されている針棒糸対応テーブルに基づいて各針棒番号とその針棒番号に対応する糸色が表示され、リスト欄６３には糸指定情報リスト６４が表示され、針棒番号選択欄６９及び選択糸情報欄７０には何も表示されない。次に、フラグＦｌ  及びフラグＦｂ  が「０」に設定される（  Ｓ１１）  。尚、Ｆｌ  は、リスト判定用フラグであって、糸指定情報リスト６４が表示されている場合には「０」が設定され、全糸情報リスト６５が表示されている場合には「１」が設定される。Ｆｂ  は、糸情報を設定するための針棒１６の針棒番号が指定されているか否かを判定するためのフラグであって、糸情報を設定する針棒番号が指定されている場合には、「１」に設定され、針棒番号が指定されていない場合には、「０」が設定される。
【００３７】
次に、Ｓ１２においてユーザーにより指定ボタン７１がクリックされて、糸指定情報リスト６４が選択されると（  Ｓ１２；Ｙｅｓ）、Ｆｌ  ＝０か否かを判定し、既に糸指定情報リスト６４が表示されている場合には、Ｆｌ  ＝０なので（  Ｓ１３；Ｙｅｓ）、Ｓ２０に移行し、一方、全糸情報リスト６５が表示されている場合には、Ｆｌ  ＝１なので（  Ｓ１３；Ｎｏ）  、Ｆｌ  に「０」が設定されて（  Ｓ１４）  、糸指定情報リスト６４が表示される（  Ｓ１５）  。
【００３８】
一方、Ｓ１２でユーザーにより糸指定情報リスト６４が選択されない場合には（  Ｓ１２；Ｎｏ）  、Ｓ１６に移行する。Ｓ１６で、ユーザーにより全糸ボタン７２が選択されない場合には（  Ｓ１６；Ｎｏ）  、Ｓ２０に移行し、全糸ボタン７２が選択された場合は（  Ｓ１６；Ｙｅｓ）、Ｆｌ  ＝１か否かを判定し、Ｆｌ  ＝１ならば（  Ｓ１７；Ｙｅｓ）、全糸情報リスト６５が既に表示されているので、Ｓ２０に移行し、Ｆｌ  ＝０ならば（  Ｓ１７；Ｎｏ）  、Ｆｌ  に「１」が設定されて（  Ｓ１８）  、全糸情報リストが表示される（  Ｓ１９）  。
【００３９】
次に、Ｓ２０でユーザーにより、所望の針棒番号に対応する針棒番号ボタン６６がクリックされて、針棒番号が選択されると（  Ｓ２０；Ｙｅｓ）、選択された針棒番号がＩに設定され（  Ｓ２１）  、針棒番号選択欄６９には、選択された針棒番号Ｉが表示され、選択糸情報欄７０には選択された針棒番号Ｉの針棒１６に設定されている糸情報が表示される。次に、Ｆｂ  に「１」が設定される（  Ｓ２２）  。一方、Ｓ２０で針棒番号が選択されない場合は（  Ｓ２０；Ｎｏ）  、Ｆｂ  ＝１か否かが判定され、Ｆｂ  ＝１ならば（  Ｓ２３；Ｙｅｓ）、既に針棒番号が選択されているので、Ｓ２４に移行し、Ｆｂ  ＝０ならば（  Ｓ２３；Ｎｏ）  、Ｓ２７に移行する。
【００４０】
針棒番号が選択された状態で、糸情報が選択されない場合は（  Ｓ２４；Ｎｏ）  、Ｓ２７に移行し、一方、糸指定情報リスト６４若しくは全糸情報リスト６５から糸情報が指定されると（  Ｓ２４；Ｙｅｓ）、指定された１つの糸の指定に関する糸指定情報をＥＥＰＲＯＭ４８に記憶させる糸指定情報記憶処理が行われる（  Ｓ２５）  。
【００４１】
次に、糸指定情報記憶処理について、図９を参照して説明する。Ｓ２４で指定された糸情報Ｎｏに対応する糸指定情報が糸指定情報テーブルに既に有る場合には（  Ｓ４０；Ｙｅｓ）、その指定された糸指定情報の指定回数が「１」増加されて（  Ｓ４１）  、糸指定情報が指定回数の多い順でソートされた後（  Ｓ４２）  、Ｓ４４に移行する。一方、Ｓ２４で指定された糸情報が糸指定情報テーブルにない場合には（  Ｓ４０；Ｎｏ）  、糸指定情報テーブルの最後に指定回数「１」として選択された糸の糸指定情報が追加され（  Ｓ４３）  、Ｓ４４に移行する。Ｓ４４において、Ｆｌ  ＝１ならば（  Ｓ４４；Ｎｏ）  、糸指定情報記憶処理が終了し、Ｓ２６に移行する。一方、Ｓ４４において、Ｆｌ  ＝０ならば（  Ｓ４４；Ｙｅｓ）、糸指定情報リスト６４が再表示されて（  Ｓ４５）  、糸指定情報記憶処理が終了してＳ２６に移行する。次に、針棒糸対応テーブルにおける針棒番号Ｉの糸情報Ｎｏがユーザーにより指定された糸情報Ｎｏに変更される（  Ｓ２６）  。
【００４２】
次に、Ｓ２７において、ユーザーにより変更ボタン７４が選択されない場合は（  Ｓ２７；Ｎｏ）  、Ｓ２９に移行し、一方、ユーザーにより変更ボタン７４がクリックされると（  Ｓ２７；Ｙｅｓ）、糸指定情報変更処理が行われる（  Ｓ２８）  。図１０に示すように、糸指定情報変更処理が開始されると、まず、フラグＦｃ  に「０」が設定される（  Ｓ５０）  。尚、このＦｃ  はユーザーが場所を変更させたい糸情報を選択したかどうかを判定するためのフラグである。次に、Ｆｌ  ＝０か否か、即ち、糸指定情報リストが表示されているか否かが判定され、Ｆｌ  ＝１ならば（  Ｓ５１；Ｎｏ）  、Ｆｌ  に「０」が設定されて（  Ｓ５２）  、糸指定情報リスト６４が表示される（  Ｓ５３）  。
【００４３】
一方、Ｓ５１でＦｌ  ＝０ならば（  Ｓ５１；Ｙｅｓ）、Ｓ５４へ移行する。次に、糸指定情報リスト６４から糸情報が選択されると（  Ｓ５４；Ｙｅｓ）、Ｆｃ  に「１」が設定される（  Ｓ５５）  。一方、Ｓ５４において、糸指定情報リスト６４から糸情報が選択されない場合は（  Ｓ５４；Ｎｏ）  、Ｓ５６においてＦｃ＝１か否かが判定され、Ｆｃ  ＝１ならば（  Ｓ５６；Ｙｅｓ）、既に糸情報が選択済みなのでＳ５７に移行し、Ｆｃ  ＝１でないならば（  Ｓ５６；Ｎｏ）  、Ｓ６０に移行する。
【００４４】
次に、糸指定情報リスト６４の場所が指定されない場合は（  Ｓ５７；Ｎｏ）  、Ｓ５９に移行し、一方、糸情報を移動させたい糸指定情報リスト６４の場所が指定された場合は（  Ｓ５７；Ｙｅｓ）、糸指定情報の対応する位置に選択された糸情報Ｎｏと、選択された場所の直ぐ上の糸情報と同じ指定回数が、その選択された糸情報の指定回数として設定される（  Ｓ５８）  。例えば、図４に示す糸指定情報テーブルにおいて、選択した糸情報の移動先として、ユーザーが糸情報Ｎｏ「００１６」と「００４５」との間が指定された場合には、指定回数が糸情報Ｎｏ「００１６」と同じ「７」に設定される。次に、糸指定情報リスト６４が再表示される（  Ｓ５９）  。次に、変更ボタン７４がクリックされると（  Ｓ６０；Ｙｅｓ）、糸指定情報変更処理が終了してＳ２９に移行し、変更ボタン７４がクリックされない場合は（  Ｓ６０；Ｎｏ）  、Ｓ５４に移行する。
【００４５】
Ｓ２９において、ユーザーにより削除ボタン７５がクリックされると、糸指定情報削除処理が行われる。図１１に示すように、糸指定情報削除処理が開始されると、Ｆｌ  ＝０か否か、即ち、糸指定情報リストが表示されているか否かが判定され、Ｆｌ  ＝１ならば（  Ｓ７０；Ｎｏ）  、Ｆｌ  に「０」が設定されて（  Ｓ７１）  、糸指定情報リスト６４が表示され（  Ｓ７２）  、一方、Ｓ７０でＦｌ  ＝０ならばＳ７３へ移行する。
【００４６】
次に、ユーザーにより糸指定情報リスト６４から糸情報が選択されない場合は（  Ｓ７３；Ｎｏ）  、Ｓ７６に移行し、一方、ユーザーにより糸指定情報リスト６４の中から糸情報が選択されたら（  Ｓ７３；Ｙｅｓ）、その糸情報に該当する糸指定情報が糸指定情報テーブルから削除され（  Ｓ７４）  、新たな糸指定情報リスト６４がディスプレイ３０に再表示される。次に、削除ボタン７５がクリックされない場合は（  Ｓ７６；Ｎｏ）  、Ｓ７３に移行し、削除ボタン７５がクリックされると（  Ｓ７６；Ｙｅｓ）、糸指定情報削除処理が終了し、Ｓ３１に移行する。
【００４７】
Ｓ３１において、終了ボタン７６がクリックされて糸指定制御処理の終了が選択されると（  Ｓ３１）  、糸指定制御処理が終了され、終了ボタン７６がクリックされない場合は（  Ｓ３１；Ｎｏ）  、Ｓ１２へと移行する。
【００４８】
尚、請求の範囲における「制御手段」，  「識別表示制御手段」は制御ユニット４１に相当し、「糸指定手段」，  「指定選択手段」，  「入力手段」はマウス３２に相当し、「表示手段」はディスプレイ３０及び駆動回路４２に相当する。
【００４９】
次に、以上説明した実施の形態の作用及び効果について説明する。この多針刺繍ミシンＭにおいては、刺繍用情報処理装置４０を備えているので、ユーザーが各針棒１６に糸情報を指定する際に、過去に指定した糸の糸情報をリストにした糸指定情報リスト６４をディスプレイ３０に表示させることができるので、ユーザーは過去に指定した糸を容易に識別でき、糸指定情報リスト６４から所望の糸情報を指定することで、糸の指定に要する時間を大幅に短縮することができる。
【００５０】
また、指定ボタン７１及び全糸ボタン７２をクリックするだけで、糸指定情報リスト６４若しくは全糸情報リスト６５をディスプレイ３０に表示させることができるので、操作性に優れ、糸を指定する作業をスムーズに行うことができる。糸情報は、メーカー名、ＲＧＢ  、太さ、素材などの各情報が糸色と共に記憶され、その各情報が糸指定情報リスト６４若しくは全糸情報リスト６５に表示されるので、ユーザーは所望の糸を容易に認識することができる。
【００５１】
次に、前記実施の形態を部分的に変更した変更の形態について説明する。
【００５２】
１）上述の実施の形態においては、刺繍用情報処理装置４０は、多針刺繍ミシンＭの制御全般を司るように構成されているが、各モータ５２，  ５４，  ５６を別の制御系で制御するように構成してもよい。
【００５３】
２）上述の実施の形態においては、糸情報の指定回数により糸指定情報リスト６４上の糸情報の順番が決定されていたが、指定回数のみならず、図５に示す針棒糸対応テーブルに設定されて、実際に過去に刺繍に供された糸に関する使用済み糸情報をＥＥＰＲＯＭ（  使用済み糸情報に相当）  に記憶させて、その使用済み糸情報に基づいて使用済み糸情報リストをディスプレイ３０に表示させてもよい。
【００５４】
３）上述の実施の形態においては、糸指定情報リスト６４を表示することで、過去に指定された糸の糸情報を識別可能にしているが、全糸情報リスト６５を表示する際に、指定されたことのある糸情報を点滅若しくは色を反転させるなどの表示方法により、指定された糸の糸情報を識別できるようにしてもよい。
【００５５】
４）上述の実施の形態においては、１体の多針刺繍ミシンＭの刺繍用情報処理装置４０を設けたが、複数の多針刺繍ミシンを有する工場等では、全ての糸情報を有する糸情報を格納した糸情報記憶手段を複数の多針刺繍ミシンに対して１つ設け、各多針刺繍ミシンに刺繍用情報処理装置を夫々設けるように構成することもできる。このように構成することで、複数の多針刺繍ミシンに対して糸情報記憶手段は１つで済むが、各多針刺繍ミシンの糸指定情報記憶手段に夫々の糸指定情報を記憶させることができる。
【００５６】
５）上述の実施の形態においては、図４に示すように糸指定情報テーブルには、糸情報Ｎｏと指定回数のみで構成された糸指定情報が記憶されているが、糸情報Ｎｏと指定回数以外に、各糸情報のメーカー名、糸色、ＲＧＢ  、太さ、素材などにより糸指定情報を構成し、それらの糸指定情報を指定回数に応じて順に配列してもよい。即ち、ディスプレイ３０に表示可能な糸指定情報のテーブルを制御ユニット（  リスト作成手段）  により作成し、糸指定情報記憶手段に記憶させてもよい。このように構成することで、糸指定情報リスト６４をディスプレイ３０に表示させる時間を短縮することができる。
【００５７】
６）上述の実施の形態においては、針棒１６に糸情報を設定する際に糸指定情報リスト６４をディスプレイ３０に表示させたが、刺繍模様のイメージデータの各領域に所望の糸情報を設定する際にも、糸指定情報リスト６４を表示させてもよい。
【００５８】
本発明は、以上説明した実施の形態に限定されるものではなく、当業者であれば、本発明の趣旨を逸脱しない範囲で、前記実施の形態に種々の変更を付加して実施することができ、本発明はそれらの変更の形態をも包含するものである。
【００５９】
【発明の効果】請求項１に記載の刺繍用情報処理装置は、糸指定情報記憶手段に過去に指定された糸の糸指定情報が記憶されているので、その糸指定情報に基づいて、過去に指定された糸の糸情報をディスプレイに表示することができる。ユーザーは、過去に指定した糸の中から所望の糸を指定することができるので、全ての糸情報から所望の糸を指定する場合に比べ、非常に短い時間で所望の糸を指定することができる。
【００６０】
請求項２に記載の刺繍用情報処理装置には、糸色の他に、太さ、素材、メーカー名などの情報が糸情報記憶手段に記憶されているので、それらの情報をディスプレイに表示させることができ、ユーザーは所望の糸を容易に認識することができ、糸を指定するために要する時間を、更に短縮することができる。その他、請求項１と同様の効果を奏することができる。
【００６１】
請求項３に記載の刺繍用情報処理装置においては、ユーザーは、糸を指定する際に、指定選択手段により糸情報記憶手段若しくは糸指定情報記憶手段のどちらかに記憶された糸から指定するかを選択できるので、操作性に優れ、糸の指定作業をスムーズに行うことができる。その他、請求項１又は２と同様の効果を奏することができる。
【００６２】
請求項４に記載の刺繍用情報処理装置においては、ユーザーが糸指定情報記憶手段に記憶された糸を識別することができるので、糸の指定作業に要する時間を更に短縮することができる。その他、請求項１〜３と同様の効果を奏することができる。
【００６３】
請求項５に記載の刺繍用情報処理装置は、リスト作成手段により糸指定情報記憶手段に記憶された糸に関するデータリストが作成されるので、データリストをディスプレイに表示させる時間を短縮することができる。その他、請求項１〜４と同様の効果を奏することができる。
【００６４】
請求項６に記載の刺繍用情報処理装置は、針棒糸対応テーブルにより針棒と糸との対応をディスプレに容易に表示することができる。その他、請求項１〜５と同様の効果を奏することができる。
【００６５】
請求項７に記載の刺繍用情報処理装置は、使用済み糸情報記憶手段に使用済み糸情報を記憶させることで、その使用済み糸情報をディスプレイに表示させることができ、ユーザーはその使用済み糸情報から所望の糸を指定することで、糸の指定に要する時間を更に短縮することができる。その他、請求項６と同様の効果を奏することができる。
【００６６】
請求項８に記載の糸指定制御プログラムは、過去に指定した糸の糸情報をディスプレイに表示させることができ、ユーザーはディプレイに表示された過去に指定した糸の中から所望の糸を指定することで、糸の指定に要する時間を大幅に短縮することができる。
【図面の簡単な説明】
【図１】本発明の実施の形態に係る多針刺繍ミシンの全体図である。
【図２】針棒ケースの正面図である。
【図３】刺繍用情報処理装置の全体構成を説明するブロック図である。
【図４】糸指定情報テーブルの説明図である。
【図５】針棒糸対応テーブルの説明図である。
【図６】糸指定制御処理における表示画面である。
【図７】全糸情報リストが表示された図６相当図である。
【図８】糸指定制御処理を説明するためのフローチャートである。
【図９】糸指定情報記憶処理を説明するためのフローチャートである。
【図１０】糸指定情報変更処理を説明するためのフローチャートである。
【図１１】糸指定情報削除処理を説明するためのフローチャートである。
【符号の説明】
Ｍ      多針刺繍ミシン
１５      縫針
１６      針棒
３０      ディスプレイ
３２      マウス
４０      刺繍用情報処理装置
４１      制御ユニット
４２      駆動回路
４６      ＲＯＭ
４８      ＥＥＰＲＯＭ
５０      コンピュータ
Ｔ      上糸
【図１】
2004283272.tif 000003
【図２】
2004283272.tif 000004
【図３】
2004283272.tif 000005
【図４】
2004283272.tif 000006
【図５】
2004283272.tif 000007
【図６】
2004283272.tif 000008
【図７】
2004283272.tif 000009
【図８】
2004283272.tif 000010
【図９】
2004283272.tif 000011
【図１０】
2004283272.tif 000012
【図１１】
2004283272.tif 000013